(57)【特許請求の範囲】
【請求項１】
印刷物の面付けレイアウトを示す面付けデータの生成に利用される面付けテンプレートであって、
ページエリアに対応するページエリアデータ、および、前記ページエリアが配置される用紙エリアに対応する用紙エリアデータを含むエリアデータ群と、
印刷工程または製本工程にて利用される印刷付加情報であるアクセサリに対応するアクセサリデータと、
を含み、
前記ページエリアデータが、前記ページエリアのサイズ情報を変数として含み、
前記用紙エリアデータが、前記用紙エリアのサイズ情報、前記用紙エリア上に配置される前記ページエリアの個数、および、前記ページエリアの前記用紙エリア上における位置を変数として含み、
前記アクセサリが、前記ページエリアまたは前記用紙エリアの一方である基準エリアに関連づけられ、
前記アクセサリデータが、前記基準エリアに設定された基準点、または、前記エリアデータ群に含まれる他のエリアデータに対応するエリアに設定された基準点に対する前記アクセサリの相対位置を示す位置情報と、前記アクセサリの表示と前記基準エリアへの画像の表示との上下関係を示す表示順情報とを含み、前記アクセサリのサイズ情報を、前記基準エリアのサイズ情報の関数としてさらに含むことを特徴とする面付けテンプレート。
【請求項２】
請求項１に記載の面付けテンプレートであって、
前記アクセサリデータが、印刷媒体に対して両面印刷が行われる場合に、前記印刷媒体の表面および裏面のいずれに前記アクセサリを印刷するかを示す両面表示情報をさらに含むことを特徴とする面付けテンプレート。
【請求項３】
請求項１に記載の面付けテンプレートであって、
前記アクセサリデータに含まれる前記アクセサリの前記位置情報が、
印刷媒体の表面に印刷が行われる表面アクセサリの位置情報である表面位置情報と、
前記印刷媒体の裏面に印刷が行われる裏面アクセサリの位置を前記表面位置情報に基づいて決定する表裏連動情報と、
を含むことを特徴とする面付けテンプレート。
【請求項４】
請求項１ないし３のいずれかに記載の面付けテンプレートであって、
前記エリアデータ群が、刷版エリアに対応する刷版エリアデータをさらに含み、
前記刷版エリアデータが、前記刷版エリアのサイズ情報、および、前記用紙エリアの前記刷版エリア上における位置を変数として含むことを特徴とする面付けテンプレート。
【請求項５】
請求項１ないし３のいずれかに記載の面付けテンプレートであって、
前記アクセサリが、前記用紙エリアに関連づけられるフラッシング吐出パターンであることを特徴とする面付けテンプレート。
【請求項６】
印刷物の面付けレイアウトを示す面付けデータを生成する面付けデータ生成装置であって、
請求項１ないし５のいずれかに記載の面付けテンプレートを記憶する記憶部と、
前記ページエリアのサイズ情報、前記用紙エリアのサイズ情報、前記用紙エリア上に配置される前記ページエリアの個数、および、前記ページエリアの前記用紙エリア上における位置を含む入力情報を受け付ける入力受付部と、
前記入力情報を前記面付けテンプレートに代入することにより面付けデータを生成する面付けデータ生成部と、
を備えることを特徴とする面付けデータ生成装置。
【請求項７】
入力受付部と面付けデータ生成部とを備えた面付けデータ生成装置における印刷物の面付けレイアウトを示す面付けデータを生成する面付けデータ生成方法であって、
ａ）請求項１ないし５のいずれかに記載の面付けテンプレートを準備する工程と、
ｂ）前記ページエリアのサイズ情報、前記用紙エリアのサイズ情報、前記用紙エリア上に配置される前記ページエリアの個数、および、前記ページエリアの前記用紙エリア上における位置を含む入力情報を前記入力受付部により受け付け、前記面付けデータ生成部により前記入力情報を前記面付けテンプレートに代入することにより面付けデータを生成する工程と、
を備えることを特徴とする面付けデータ生成方法。
【請求項８】
ＣＰＵ、メモリ、入力受付部を備えたコンピュータにおいて実行可能であり、印刷物の面付けレイアウトを示す面付けデータを生成するプログラムであって、前記プログラムをＣＰＵがメモリにおいて実行することにより、
ａ）請求項１ないし５のいずれかに記載の面付けテンプレートを準備する工程と、
ｂ）前記ページエリアのサイズ情報、前記用紙エリアのサイズ情報、前記用紙エリア上に配置される前記ページエリアの個数、および、前記ページエリアの前記用紙エリア上における位置を含む入力情報を前記入力受付部により受け付け、前記入力情報を前記面付けテンプレートに代入することにより面付けデータを生成する工程と、
を前記コンピュータに実行させることを特徴とするプログラム。
【発明の詳細な説明】
【技術分野】
【０００１】
本発明は、印刷物の面付けレイアウトを示す面付けデータを生成する技術に関する。
【背景技術】
【０００２】
従来より、商業用の印刷等では、印刷物の面付けレイアウトを示す面付けデータが使用される。面付けデータは、用紙上に配置されるページの数や大きさ、各ページの位置等のレイアウト情報、および、印刷工程や製本工程にて利用されるトンボやカラーバー等のアクセサリの位置や大きさ等のレイアウト情報を含む。
【０００３】
特許文献１のデジタル面付け処理装置では、印刷情報付加部により、印刷の際に必要な印刷付加情報が外部から読み込まれ、刷版上で必要な位置に配置されるようにラスタデータに追加される。
【先行技術文献】
【特許文献】
【０００４】
【特許文献１】特開平１１−１３３５８３号公報
【発明の概要】
【発明が解決しようとする課題】
【０００５】
ところで、印刷に使用される用紙や刷版のサイズが変更になると、用紙上に配置されるページやアクセサリに変更がなくても、新たな面付けデータを生成する必要がある。また、ページ等の位置や配置が変更されると、ページ等を基準として配置されるアクセサリの位置等も変更されるため、やはり新たな面付けデータを生成する必要がある。一方、印刷装置や製本装置等が変更になると、アクセサリのレイアウト情報の変更が必要となり、この場合も新たな面付けデータを生成する必要がある。
【０００６】
このように、印刷条件の僅かな変更の度に、新たな面付けデータの作成に多大な時間と労力が必要となるため、印刷作業の生産効率向上に限界があった。また、印刷条件の変更に伴って生成された面付けデータは保存されるが、僅かな条件変更の度に面付けデータが増加することになり、面付けデータの管理に多大な労力が必要であった。
【０００７】
本発明は、上記課題に鑑みなされたものであり、印刷条件の変更に容易に対応して面付けデータを迅速に生成することを主な目的としている。
【課題を解決するための手段】
【０００８】
請求項１に記載の発明は、印刷物の面付けレイアウトを示す面付けデータの生成に利用される面付けテンプレートであって、ページエリアに対応するページエリアデータ、および、前記ページエリアが配置される用紙エリアに対応する用紙エリアデータを含むエリアデータ群と、印刷工程または製本工程にて利用される印刷付加情報であるアクセサリに対応するアクセサリデータとを含み、前記ページエリアデータが、前記ページエリアのサイズ情報を変数として含み、前記用紙エリアデータが、前記用紙エリアのサイズ情報、前記用紙エリア上に配置される前記ページエリアの個数、および、前記ページエリアの前記用紙エリア上における位置を変数として含み、前記アクセサリが、前記ページエリアまたは前記用紙エリアの一方である基準エリアに関連づけられ、前記アクセサリデータが、前記基準エリアに設定された基準点、または、前記エリアデータ群に含まれる他のエリアデータに対応するエリアに設定された基準点に対する前記アクセサリの相対位置を示す位置情報と、前記アクセサリの表示と前記基準エリアへの画像の表示との上下関係を示す表示順情報とを含み、前記アクセサリのサイズ情報を、前記基準エリアのサイズ情報の関数としてさらにを含む。
【００１１】
請求項２に記載の発明は、請求項１に記載の面付けテンプレートであって、前記アクセサリデータが、印刷媒体に対して両面印刷が行われる場合に、前記印刷媒体の表面および裏面のいずれに前記アクセサリを印刷するかを示す両面表示情報をさらに含む。
【００１２】
請求項３に記載の発明は、請求項１に記載の面付けテンプレートであって、前記アクセサリデータに含まれる前記アクセサリの前記位置情報が、印刷媒体の表面に印刷が行われる表面アクセサリの位置情報である表面位置情報と、前記印刷媒体の裏面に印刷が行われる裏面アクセサリの位置を前記表面位置情報に基づいて決定する表裏連動情報とを含む。
【００１３】
請求項４に記載の発明は、請求項１ないし３のいずれかに記載の面付けテンプレートであって、前記エリアデータ群が、刷版エリアに対応する刷版エリアデータをさらに含み、前記刷版エリアデータが、前記刷版エリアのサイズ情報、および、前記用紙エリアの前記刷版エリア上における位置を変数として含む。
【００１４】
請求項５に記載の発明は、請求項１ないし３のいずれかに記載の面付けテンプレートであって、前記アクセサリが、前記用紙エリアに関連づけられるフラッシング吐出パターンである。
【００１５】
請求項６に記載の発明は、印刷物の面付けレイアウトを示す面付けデータを生成する面付けデータ生成装置であって、請求項１ないし５のいずれかに記載の面付けテンプレートを記憶する記憶部と、前記ページエリアのサイズ情報、前記用紙エリアのサイズ情報、前記用紙エリア上に配置される前記ページエリアの個数、および、前記ページエリアの前記用紙エリア上における位置を含む入力情報を受け付ける入力受付部と、前記入力情報を前記面付けテンプレートに代入することにより面付けデータを生成する面付けデータ生成部とを備える。
【００１６】
請求項７に記載の発明は、入力受付部と面付けデータ生成部とを備えた面付けデータ生成装置における印刷物の面付けレイアウトを示す面付けデータを生成する面付けデータ生成方法であって、ａ）請求項１ないし５のいずれかに記載の面付けテンプレートを準備する工程と、ｂ）前記ページエリアのサイズ情報、前記用紙エリアのサイズ情報、前記用紙エリア上に配置される前記ページエリアの個数、および、前記ページエリアの前記用紙エリア上における位置を含む入力情報を前記入力受付部により受け付け、前記面付けデータ生成部により前記入力情報を前記面付けテンプレートに代入することにより面付けデータを生成する工程とを備える。
【００１７】
請求項８に記載の発明は、ＣＰＵ、メモリ、入力受付部を備えたコンピュータにおいて実行可能であり、印刷物の面付けレイアウトを示す面付けデータを生成するプログラムであって、前記プログラムをＣＰＵがメモリにおいて実行することにより、ａ）請求項１ないし５のいずれかに記載の面付けテンプレートを準備する工程と、ｂ）前記ページエリアのサイズ情報、前記用紙エリアのサイズ情報、前記用紙エリア上に配置される前記ページエリアの個数、および、前記ページエリアの前記用紙エリア上における位置を含む入力情報を前記入力受付部により受け付け、前記入力情報を前記面付けテンプレートに代入することにより面付けデータを生成する工程とを前記コンピュータに実行させる。
【発明の効果】
【００１８】
本発明では、印刷条件の変更に容易に対応して面付けデータを迅速に生成することができる。
【図面の簡単な説明】
【００１９】
【図１】一の実施の形態に係る面付けデータ生成装置の構成を示す図である。
【図２】面付けデータ生成装置の機能構成を示すブロック図である。
【図３】面付けテンプレートのデータ構造を示す図である。
【図４】面付けテンプレートに対応する面付けモデルを示す図である。
【図５】刷版エリアの基準点を示す図である。
【図６】面付けデータの生成の流れを示す図である。
【図７】面付けレイアウトを示す図である。
【図８】面付けレイアウトを示す図である。
【図９】面付けレイアウトを示す図である。
【図１０】アクセサリデータのデータ構造を示す図である。
【発明を実施するための形態】
【００２０】
図１は、本発明の一の実施の形態に係る面付けデータ生成装置１の構成を示す図である。面付けデータ生成装置１は、印刷物の面付けレイアウトを示す面付けデータの生成を行う装置である。面付けデータ生成装置１は、後述する面付けテンプレートを利用して面付けデータを生成する。
【００２１】
面付けデータ生成装置１は、各種演算処理を行うＣＰＵ１１、基本プログラムを記憶するＲＯＭ１２および各種情報を記憶するＲＡＭ１３をバスラインに接続した一般的なコンピュータシステムの構成となっている。バスラインにはさらに、情報記憶を行う固定ディスク１５、各種情報の表示を行うディスプレイ１６、操作者からの入力を受け付けるキーボード１７ａやマウス１７ｂ等の入力受付部１７、光ディスク、磁気ディスク、光磁気ディスク等のコンピュータ読み取り可能な記録媒体１０から情報の読み取りを行ったり記録媒体１０に情報の書き込みを行う読取／書込装置１８、並びに、外部との通信を行う通信部１９が、適宜、インターフェイス（Ｉ／Ｆ）を介する等して接続される。
【００２２】
面付けデータ生成装置１には、事前に読取／書込装置１８を介して記録媒体１０からプログラム１００が読み出され、固定ディスク１５に記憶される。プログラム１００は、通信部１９を介して面付けデータ生成装置１に読み込まれてもよい。そして、プログラム１００が、ＣＰＵ１１によりＲＡＭ１３等において実行されることにより（すなわち、コンピュータがプログラムを実行することにより）、面付けデータ生成装置１が面付けデータの生成を行う。
【００２３】
図２は、ＣＰＵ１１がプログラム１００に従って動作することにより、ＣＰＵ１１、ＲＯＭ１２、ＲＡＭ１３、固定ディスク１５等が実現する機能構成を示すブロック図である。図２において、面付けデータ生成部７１がＣＰＵ１１等により実現される機能であり、記憶部７２が固定ディスク１５等により実現される機能である。なお、これらの機能は専用の電気的回路により実現されてもよく、部分的に電気的回路が用いられてもよい。記憶部７２には、面付けデータの生成に利用されるデータ構造である面付けテンプレート２が記憶される。
【００２４】
図３は、面付けテンプレート２のデータ構造を示す図であり、図４は、面付けテンプレート２に対応する面付けモデル４を示す図である。面付けテンプレート２は、刷版印刷に用いられるものである。図３に示すように、面付けテンプレート２は、エリアデータ群２０およびアクセサリデータ群３０を含む。エリアデータ群２０は、刷版エリアデータ２１、用紙エリアデータ２２、製版エリアデータ２３、折りエリアデータ２４およびページエリアデータ２５を含む。
【００２５】
刷版エリアデータ２１は、図４に示す面付けモデル４の刷版エリア４１に対応し、用紙エリアデータ２２は、刷版エリア４１上に配置される用紙エリア４２に対応する。１つの刷版エリア４１上には、１つの用紙エリア４２が配置される。製版エリアデータ２３は、用紙エリア４２上に配置される製版エリア４３に対応する。１つの用紙エリア４２上には、１つの製版エリア４３が配置される。
【００２６】
折りエリアデータ２４は、製版エリア４３上に配置される折りエリア４４に対応する。１つの製版エリア４３上には、１つまたは複数の折りエリア４４が配置される。図４では、１つの製版エリア４３上に１つの折りエリア４４が配置される面付けモデル４を図示している。ページエリアデータ２５は、折りエリア４４上に配置されるページエリア４５に対応する。１つの折りエリア４４上には、１つまたは複数のページエリア４５が配置される。図４では、１つの折りエリア４４上に１つのページエリア４５が配置される面付けモデル４を図示している。
【００２７】
ページエリアデータ２５は、ページエリア４５の縦および横の長さを示すサイズ情報を変数として含む。また、ページエリア４５に印刷される予定の画像の向きを示す情報も含む。図４では、当該画像の向きをページエリア４５の中央の矢印にて示す。図３では、図を簡略化するために、ページエリアデータ２５に含まれるサイズ情報の図示を省略する。また、折りエリアデータ２４、製版エリアデータ２３、用紙エリアデータ２２および刷版エリアデータ２１に含まれる後述のサイズ情報等の図示も省略する。
【００２８】
折りエリアデータ２４は、折りエリア４４のサイズ情報、折りエリア４４上に配置されるページエリア４５の個数、および、ページエリア４５の折りエリア４４上における位置を変数として含む。製版エリアデータ２３は、製版エリア４３のサイズ情報、製版エリア４３上に配置される折りエリア４４の個数、および、折りエリア４４の製版エリア４３上における位置を変数として含む。用紙エリアデータ２２は、用紙エリア４２のサイズ情報、および、製版エリア４３の用紙エリア４２上における位置を変数として含む。刷版エリアデータ２１は、刷版エリア４１のサイズ情報、および、用紙エリア４２の刷版エリア４１上における位置を変数として含む。
【００２９】
アクセサリデータ群３０は、複数のアクセサリ５１〜５５にそれぞれ対応する複数のアクセサリデータ３１〜３５を含む。アクセサリ５１〜５５は、印刷工程または製本工程にて利用されるトンボ、カラーバー、色玉マーク、看板、のど合わせ用のマーク等の印刷付加情報である。
【００３０】
アクセサリ５１は刷版エリア４１に関連づけられ、アクセサリデータ３１は刷版エリアデータ２１に関連づけられる。刷版エリア４１には、図５に示すように、９つの基準点４１１が設定される。基準点４１１は、矩形の刷版エリア４１の中央、４つの頂点、および、４つの辺の中心に設定される。アクセサリデータ３１は、刷版エリア４１の９つの基準点４１１のうち１つの基準点４１１に対するアクセサリ５１の相対位置を示す位置情報３１１を含む。図４の例では、位置情報３１１は、アクセサリ５１が刷版エリア４１の左下の基準点４１１を基準として、当該基準点４１１の右上の所定の位置に配置されることを示す。なお、アクセサリ５１と基準点４１１とを結ぶ直線は、アクセサリ５１が関連づけられる基準点４１１を示すためのものであり、実際に表示されるものではない（他のアクセサリ、並びに、図７ないし図９においても同様）。
【００３１】
アクセサリデータ３１は、また、刷版エリア４１の向きに対するアクセサリ５１の相対的な向きを示す姿勢情報３１２も含む。姿勢情報３１２は、通常、基準となる向きである基準姿勢、基準姿勢から９０°回転した姿勢、基準姿勢から１８０°回転した姿勢、および、基準姿勢から２７０°回転した姿勢のいずれかである。なお、アクセサリが、例えば、単色の円形であって向きによる影響がない場合、アクセサリの姿勢情報はアクセサリデータに含まれなくてよい。
【００３２】
アクセサリ５２は用紙エリア４２に関連づけられ、アクセサリデータ３２は用紙エリアデータ２２に関連づけられる。アクセサリデータ３２は、用紙エリア４２の基準点に対するアクセサリ５２の相対位置を示す位置情報３２１、および、用紙エリア４２の向きに対するアクセサリ５２の相対的な向きを示す姿勢情報３２２を含む。図４の例では、位置情報３２１は、アクセサリ５２が、用紙エリア４２の下側中央の基準点４２１を基準として、当該基準点４２１の上側の所定の位置に配置されることを示す。なお、アクセサリデータ３２に含まれるサイズ情報３２３については後述する。
【００３３】
アクセサリ５３は製版エリア４３に関連づけられ、アクセサリデータ３３は製版エリアデータ２３に関連づけられる。アクセサリデータ３３は、製版エリア４３の基準点に対するアクセサリ５３の相対位置を示す位置情報３３１、および、製版エリア４３の向きに対するアクセサリ５３の相対的な向きを示す姿勢情報３３２を含む。図４の例では、位置情報３３１は、アクセサリ５３が、製版エリア４３の左下の基準点４３１を基準として、当該基準点４３１の右上の所定の位置に配置されることを示す。
【００３４】
アクセサリ５４は折りエリア４４に関連づけられ、アクセサリデータ３４は折りエリアデータ２４に関連づけられる。アクセサリデータ３４は、折りエリア４４の基準点に対するアクセサリ５４の相対位置を示す位置情報３４１、および、折りエリア４４の向きに対するアクセサリ５４の相対的な向きを示す姿勢情報３４２を含む。図４の例では、４つのアクセサリ５４（十字状のトンボ）が折りエリア４４に関連づけられる。４つのアクセサリデータ３４の位置情報３４１は、アクセサリ５４が、折りエリア４４の４つの頂点に設定された基準点４４１上に配置されることを示す。
【００３５】
アクセサリ５５はページエリア４５に関連づけられ、アクセサリデータ３５はページエリアデータ２５に関連づけられる。アクセサリデータ３５は、ページエリア４５の基準点に対するアクセサリ５５の相対位置を示す位置情報３５１、および、ページエリア４５の向きに対するアクセサリ５５の相対的な向きを示す姿勢情報３５２を含む。図４の例では、位置情報３５１は、アクセサリ５５が、ページエリア４５の左下の基準点４５１を基準として、当該基準点４５１の右下の所定の位置（折りエリア４４上の位置）に配置されることを示す。位置情報３５１は、また、ページエリア４５が左右方向に隣接して配列される場合、ページエリア４５に印刷される予定の画像の向きが上向き（すなわち、図４中の矢印が上向き）となるように見た際の左から数えて偶数番目のページエリア４５においては、アクセサリ５５が、ページエリア４５の右下の基準点４５１を基準として、当該基準点４１１の左下の所定の位置に配置される旨の情報も有している。
【００３６】
以下の説明では、アクセサリが関連づけられるエリアを、当該アクセサリの基準エリアという。例えば、アクセサリ５１が関連づけられる基準エリアは刷版エリア４１であり、アクセサリ５２が関連づけられる基準エリアは用紙エリア４２である。上述のように、図４に示す面付けモデル４では、刷版エリア４１、用紙エリア４２、製版エリア４３およびページエリア４５にそれぞれ、１つのアクセサリが関連づけられ、折りエリア４４に４つのアクセサリ５４が関連づけられるが、各エリアに関連づけられるアクセサリの個数や各エリアに関連づけられるアクセサリの有無は適宜変更される。
【００３７】
アクセサリが、基準エリアのサイズ変更に伴ってサイズの変更が必要となるものである場合、アクセサリデータは、アクセサリの位置情報および姿勢情報に加え、アクセサリのサイズ情報を、基準エリアのサイズ情報の関数としてさらに含む。図４の例では、用紙エリア４２に関連づけられるアクセサリ５２が、用紙エリア４２の図中における左右方向の幅の０．９倍の幅を有するカラーバーであり、図３に示すアクセサリデータ３２は、アクセサリ５２のサイズ情報３２３として、アクセサリ５２の幅が用紙エリア４２の幅（用紙エリア４２のサイズ情報に含まれる。）の０．９倍であると定義した関数を含む。
【００３８】
次に、図６を参照しつつ、面付けデータ生成装置１による面付けデータの生成の流れについて説明する。面付けデータ生成装置１では、まず、図４に示す面付けモデル４に対応する面付けテンプレート２が、記憶部７２に記憶されることにより準備される（ステップＳ１１）。続いて、ページエリアデータ２５、折りエリアデータ２４、製版エリアデータ２３、用紙エリアデータ２２および刷版エリアデータ２１に、変数として含まれている情報の実際の値を示す入力情報（入力値）が、入力受付部１７（図１参照）により受け付けられる（ステップＳ１２）。
【００３９】
本実施の形態では、上記入力情報は、ページエリア４５のサイズ情報、折りエリア４４のサイズ情報、折りエリア４４上に配置されるページエリア４５の個数、ページエリア４５の折りエリア４４上における位置、製版エリア４３のサイズ情報、製版エリア４３上に配置される折りエリア４４の個数、折りエリア４４の製版エリア４３上における位置、用紙エリア４２のサイズ情報、製版エリア４３の用紙エリア４２上における位置、刷版エリア４１のサイズ情報、および、用紙エリア４２の刷版エリア４１上における位置の実際の値を含む。
【００４０】
そして、面付けデータ生成部７１（図２参照）により、当該入力情報が面付けテンプレート２のページエリアデータ２５、折りエリアデータ２４、製版エリアデータ２３、用紙エリアデータ２２および刷版エリアデータ２１の変数に代入されることにより面付けデータが生成される（ステップＳ１３）。
【００４１】
図７ないし図９は、互いに異なる入力情報が面付けテンプレート２の変数に代入されることにより生成された面付けデータに対応する面付けレイアウト４ａ〜４ｃを示す図である。図７の面付けレイアウト４ａの入力情報には、製版エリア４３上に配置される折りエリア４４の個数を示す値「２」、および、２つの折りエリア４４の製版エリア４３上におけるそれぞれの位置情報が含まれる。また、各折りエリア４４上に配置されるページエリア４５の個数を示す値「４」、および、４つのページエリア４５の折りエリア４４上におけるそれぞれの位置情報も含まれる。面付けレイアウト４ａでは、各折りエリア４４のエッジと各折りエリア４４上の４つのページエリア４５の外周エッジとが重なっている。ページエリア４５の位置情報には、ページエリア４５に印刷される予定の画像の向きを示す情報も含まれる。図７では、当該画像の向きをページエリア４５の中央の矢印にて示す（図８および図９においても同様）。
【００４２】
面付けレイアウト４ａでは、アクセサリデータ３１〜３５に従って、アクセサリ５１〜５５が所定の位置に配置される。用紙エリア４２に関連づけられるアクセサリ５２の幅は、上述のように、用紙エリア４２の左右方向の幅の０．９倍となる。また、ページエリア４５に関連づけられるアクセサリ５５は、ページエリア４５に印刷される予定の画像の向きが上向き（すなわち、図７中の矢印が上向き）となるように見た際の左から数えて奇数番目のページエリア４５においては、ページエリア４５の左下の基準点４５１の右下の所定の位置に配置され、偶数番目のページエリア４５においては、ページエリア４５の右下の基準点４５１の左下の所定の位置に配置される。
【００４３】
図８の面付けレイアウト４ｂの入力情報には、製版エリア４３上に配置される折りエリア４４の個数を示す値「２」、および、２つの折りエリア４４の製版エリア４３上におけるそれぞれの位置情報が含まれる。また、各折りエリア４４上に配置されるページエリア４５の個数を示す値「１」も含まれる。面付けレイアウト４ｂでは、各折りエリア４４のエッジと各折りエリア４４上のページエリア４５のエッジとが重なっている。面付けレイアウト４ｂでは、２つのページエリア４５が離間しているため、２つのアクセサリ５５はそれぞれ、ページエリア４５の左下の基準点４５１の右下の所定の位置に配置される。
【００４４】
図９の面付けレイアウト４ｃの入力情報には、製版エリア４３上に配置される折りエリア４４の個数を示す値「１」、および、折りエリア４４の製版エリア４３上における位置情報が含まれる。また、折りエリア４４上に配置されるページエリア４５の個数を示す値「８」、および、８つのページエリア４５の折りエリア４４上におけるそれぞれの位置情報も含まれる。面付けレイアウト４ｃでは、折りエリア４４のエッジと折りエリア４４上の８つのページエリア４５の外周エッジとが重なっている。
【００４５】
以上に説明したように、面付けテンプレート２では、エリアデータ群２０において、刷版エリア４１、用紙エリア４２、製版エリア４３、折りエリア４４およびページエリア４５に関する情報が変数として定義され、アクセサリデータ群３０において、アクセサリ５１〜５５が、基準エリアに関連づけられるとともに、アクセサリ５１〜５５の位置が、基準エリアに設定された基準点４１１〜４５１に対する相対位置として定義される。これにより、面付けデータ生成装置１において、印刷条件の変更（例えば、ページエリア４５や用紙エリア４２等のサイズ変更）に容易に対応して面付けデータを迅速に生成することができる。その結果、印刷作業の生産性を向上することができる。また、印刷条件毎に異なる面付けデータではなく、面付けテンプレートを保存しておくことにより、多数の面付けデータを管理する必要がないため、印刷に係るデータの管理に要する労力を削減することができる。
【００４６】
面付けテンプレート２では、アクセサリが、基準エリアのサイズ変更に伴ってサイズの変更が必要となるものである場合、アクセサリデータが、アクセサリのサイズ情報を、基準エリアのサイズ情報の関数として含む。これにより、アクセサリのサイズが可変である場合であっても１つの面付けテンプレート２にて対応することができる。その結果、印刷に係るデータの管理に要する労力をさらに削減することができる。
【００４７】
図３では、用紙エリアデータ２２に関連づけられるアクセサリデータ３２のみがサイズ情報３２３を含んでいるが、面付けテンプレート２では、各アクセサリデータがサイズ情報を含んでいてもよい。また、各アクセサリデータは、アクセサリの位置情報、姿勢情報およびサイズ情報以外の様々な情報を含んでいてもよい。図１０は、ページエリアデータ２５に関連づけられるアクセサリデータ３５のデータ構造の一例を示す図である。図１０に示すアクセサリデータ３５は、位置情報３５１、姿勢情報３５２およびサイズ情報３５３に加え、表示順情報３５４および両面表示情報３５５を含み、位置情報３５１は、表面位置情報３５６および表裏連動情報３５７を含む。
【００４８】
表示順情報３５４は、アクセサリ５５の表示と、ページエリア４５（すなわち、基準エリア）への画像の表示との上下関係を示す情報であり、変数としてアクセサリデータ３５に含まれる。例えば、アクセサリ５５がページエリア４５内に配置されている場合、アクセサリ５５を表示する際には、ページエリア４５への画像の表示の後にアクセサリ５５の表示が行われる（すなわち、アクセサリが基準エリアよりも上側の画像として定義される）旨を示す値が入力され、アクセサリデータ３５の表示順情報３５４に代入される。また、アクセサリ５５を非表示とする場合には、ページエリア４５への画像の表示の前にアクセサリ５５の表示が行われる（すなわち、アクセサリが基準エリアよりも下側の画像として定義される）旨を示す値が入力され、アクセサリデータ３５の表示順情報３５４に代入される。これにより、アクセサリ５５の表示・非表示を容易に設定することができる。
【００４９】
両面表示情報３５５は、印刷媒体に対して両面印刷が行われる場合に、印刷媒体の表面および裏面のいずれにアクセサリ５５を印刷するかを示す情報であり、変数としてアクセサリデータ３５に含まれる。この場合、入力情報には、アクセサリ５５が表面のみに印刷される、アクセサリ５５が裏面のみに印刷される、または、アクセサリ５５が両面に印刷される旨を示す値が含まれ、当該値がアクセサリデータ３５の両面表示情報３５５に入力される。アクセサリデータ３５に両面表示情報３５５が含まれることにより、両面印刷を行う場合であっても１つの面付けテンプレート２にて対応することができる。
【００５０】
表面位置情報３５６は、印刷媒体の表面に印刷が行われるアクセサリ５５（以下、「表面アクセサリ５５」と呼ぶ。）の位置情報である。表裏連動情報３５７は、印刷媒体の裏面に印刷が行われるアクセサリ５５（以下、「裏面アクセサリ５５」と呼ぶ。）の位置を、表面位置情報３５６に基づいて決定する情報である。アクセサリデータ３５の位置情報３５１に表面位置情報３５６および表裏連動情報３５７が含まれることにより、表面アクセサリ５５の位置が裏面アクセサリ５５の位置と異なる場合であっても１つの面付けテンプレート２にて対応することができる。
【００５１】
面付けテンプレートが、インクジェット印刷やデジタル印刷等の無版印刷用の面付けデータの生成に利用される場合、面付けテンプレート２から刷版エリアデータ２１、および、刷版エリア４１に関連づけられるアクセサリ５１のアクセサリデータ３１が省略される。無版印刷に利用される面付けテンプレートでは、用紙エリア４２に関連づけられるアクセサリ５２は、例えば、インクの吐出状態を良好に維持するために全ての吐出口からインクを吐出するフラッシングにより形成されるフラッシング吐出パターンである。
【００５２】
以上、本発明の実施の形態について説明してきたが、本発明は上記実施の形態に限定されるものではなく、様々な変更が可能である。
【００５３】
例えば、アクセサリデータに含まれるアクセサリの位置情報では、基準エリアの基準点からアクセサリまでの距離は、実際の距離により定義されてもよく、アクセサリや基準エリアの幅等に対する割合として定義されてもよい。また、基準エリアに設定される基準点の個数および位置は、適宜変更されてよく、アクセサリは、基準エリアのいずれの基準点を基準として配置されてもよい。
【００５４】
アクセサリデータでは、アクセサリの位置情報が、基準エリアに設定される基準点ではなく、エリアデータ群２０に含まれる他のエリアデータに対応するエリアに設定された基準点に対するアクセサリの相対位置を示すものであってもよい。例えば、最初のページや最終ページを示すアクセサリは、ページエリアに関連づけられるが、最初のページや最終ページが含まれる刷版において、刷版に設定された基準点を基準として配置されてもよい。この場合であっても、上記と同様に、面付けデータ生成装置１において、印刷条件の変更に容易に対応して面付けデータを迅速に生成することができる。また、印刷に係るデータの管理に要する労力を削減することができる。
【００５５】
エリアデータ群２０には、ページエリアデータ２５および用紙エリアデータ２２が含まれていれば、折りエリアデータ２４、製版エリアデータ２３および刷版エリアデータ２１は必ずしも含まれる必要はない。なお、面付けテンプレート２に対応する面付けモデル４では、少なくとも１つのアクセサリが、ページエリア４５または用紙エリア４２の一方である基準エリアに関連づけられる。
【００５６】
折りエリアデータ２４および製版エリアデータ２３がエリアデータ群２０に含まれない場合、用紙エリアデータ２２は、用紙エリア４２上に配置される製版エリア４３の個数、および、製版エリア４３の用紙エリア４２上における位置に代えて、用紙エリア４２上に配置されるページエリア４５の個数、および、ページエリア４５の用紙エリア４２上における位置を変数として含む。なお、折りエリアデータ２４および製版エリアデータ２３がエリアデータ群２０に含まれる場合も、用紙エリアデータ２２は、用紙エリア４２上に配置されるページエリア４５の個数、および、用紙エリア４２のページエリア４５上における位置を、製版エリアデータ２３および折りエリアデータ２４を介して変数の一部として含む。
【００５７】
上記実施の形態および各変形例における構成は、相互に矛盾しない限り適宜組み合わされてよい。
【符号の説明】
【００５８】
１    面付けデータ生成装置
２    面付けテンプレート
４ａ〜４ｃ    面付けレイアウト
１７    入力受付部
２０    エリアデータ群
２１    刷版エリアデータ
２２    用紙エリアデータ
２５    ページエリアデータ
３１〜３５    アクセサリデータ
４１    刷版エリア
４２    用紙エリア
４５    ページエリア
５１〜５５    アクセサリ
７１    面付けデータ生成部
７２    記憶部
１００    プログラム
３１１〜３５１    位置情報
３２３，３５３    サイズ情報
３５４    表示順情報
３５５    両面表示情報
３５６    表面位置情報
３５７    表裏連動情報
４１１〜４５１    基準点
Ｓ１１〜Ｓ１３    ステップ
【図１】
0005779378.tif 000002
【図２】
0005779378.tif 000003
【図３】
0005779378.tif 000004
【図４】
0005779378.tif 000005
【図５】
0005779378.tif 000006
【図６】
0005779378.tif 000007
【図７】
0005779378.tif 000008
【図８】
0005779378.tif 000009
【図９】
0005779378.tif 000010
【図１０】
0005779378.tif 000011